(57)【要約】      （修正有）【課題】強膜からの強膜切開部横断部の脱係合が防止された眼内レンズを提供する。【解決手段】レンズ部１０２とハプティクス部１０４とを含み、ハプティクス部は、強膜係合部１１０を含み、強膜係合部は、細長い強膜切開部横断部１１２と強膜係合固定部１１４とを含み、強膜係合固定部は、細長い強膜切開部横断部の長さに沿った中間位置に配置された構成とする。また好ましくは、強膜係合固定部は、その中心軸に沿った第１の方向には折り曲がることができるが、第１の方向とは反対の、中心軸に沿った第２の方向には折り曲がることができない構成とする。【選択図】図１Ａ
2018196727.tif 000002
【特許請求の範囲】
【請求項１】
眼内レンズであって、当該眼内レンズは：
レンズ部を有し；かつ、
ハプティクス部を有し、前記ハプティクス部は、強膜係合部を含み、該強膜係合部は、細長い強膜切開部横断部と強膜係合固定部とを含み、該強膜係合固定部は、前記の細長い強膜切開部横断部の長さに沿った中間位置に配置されており、強膜からの前記強膜切開部横断部の脱係合を防止する、
前記眼内レンズ。
【請求項２】
前記強膜係合固定部が、その中心軸に沿った第１の方向には折り曲がることができるが、前記の第１の方向とは反対の、前記中心軸に沿った第２の方向には折り曲がることができないように構成されている、請求項１に記載の眼内レンズ。
【請求項３】
前記強膜係合固定部が、強膜切開部を通したその挿入中は、その中心軸に垂直である相対的に幅の狭い足跡をとり、かつ、前記強膜切開部を戻る通過に対して前記強膜係合固定部を保持するために、したがって、前記眼内レンズを目の所定の位置に保持するために、前記中心軸に垂直である相対的に幅の広い足跡をとるように構成されている、請求項１または請求項２に記載の眼内レンズ。
【請求項４】
前記強膜係合固定部がボタンの形である、請求項１−３のいずれかに記載の眼内レンズ。
【請求項５】
前記ボタンがマルチローブのボタンである、請求項４に記載の眼内レンズ。
【請求項６】
前記強膜係合固定部が、選択可能に折り曲がることのできるＴ形の要素の一部の形である、請求項１または請求項３に記載の眼内レンズ。
【請求項７】
前記のＴ形の要素が柔軟なベース部を含む、請求項６に記載の眼内レンズ。 
【請求項８】
前記の柔軟なベース部が縫合材料で形成されている、請求項７に記載の眼内レンズ。
【請求項９】
前記レンズ部と前記ハプティクス部とが、ワンピースとして一体的に形成されている、請求項１−３のいずれかに記載の眼内レンズ。
【請求項１０】
前記の細長い強膜切開部横断部が前記強膜係合固定部を越えて延びる糸状部を有し、該糸状部は、前記眼内レンズの挿入後に前記強膜係合固定部から脱離し、かつ、捨てられるように適合されている、請求項１−３のいずれかに記載の眼内レンズ。
【発明の詳細な説明】
【技術分野】
【０００１】
発明の分野
本発明は、概して、眼内（ｉｎｔｒａｏｃｕｌａｒ）レンズに関する。
【背景技術】
【０００２】
発明の背景
種々のタイプの眼内レンズが、本技術分野で知られている。
【発明の概要】
【０００３】
本発明は、改善された眼内レンズを提供することを求める。
【０００４】
したがって、本発明の好ましい実施形態により、眼内レンズが提供され、該眼内レンズは、レンズ部とハプティクス部（ｈａｐｔｉｃｓ  ｐｏｒｔｉｏｎ）とを含み、該ハプティクス部は、強膜係合部（ｓｃｌｅｒａｌ  ｅｎｇａｇｅｍｅｎｔ  ｐｏｒｔｉｏｎ）を含み、該強膜係合部は、細長い強膜切開部横断部（ｓｃｌｅｒａｔｏｍｙ  ｔｒａｎｓｖｅｒｓｉｎｇ  ｐｏｒｔｉｏｎ）と強膜係合固定部（ｓｃｌｅｒａｌ  ｅｎｇａｇｅｍｅｎｔ  ｆｉｘａｔｉｏｎ  ｐｏｒｔｉｏｎ）とを含み、該強膜係合固定部は、細長い強膜切開部横断部の長さに沿った中間位置に配置されており、強膜からの強膜切開部横断部の脱係合を防止する。
【０００５】
好ましくは、強膜係合固定部は、その中心軸に沿った第１の方向には折り曲がることができるが、第１の方向とは反対の、中心軸に沿った第２の方向には折り曲がることができないように構成されている。
【０００６】
本発明の好ましい態様によれば、強膜係合固定部は、強膜切開部を通したその挿入中は、その中心軸に垂直である相対的に幅の狭い足跡をとり、かつ、強膜切開部を戻る通過に対して強膜係合固定部を保持するために、したがって、眼内レンズを目の所定の位置に保持するために、中心軸に垂直である相対的に幅の広い足跡をとるように構成されている。
【０００７】
好ましくは、強膜係合固定部は、ボタンの形をしている。追加的には、ボタンはマルチローブのボタン（ｍｕｌｔｉ−ｌｏｂｅｄ  ｂｕｔｔｏｎ；複数に分葉したボタン）である。
【０００８】
本発明の好ましい実施形態によれば、強膜係合固定部は、選択可能に折り曲がることのできるＴ形の要素の一部の形をしている。好ましくは、Ｔ形の要素は、柔軟なベース部を含む。本発明の好ましい実施形態によれば、柔軟なベース部は、縫合材料で形成される。
【０００９】
本発明の好ましい実施形態によれば、レンズ部とハプティクス部とは、ワンピースとして一体的に形成される。
【００１０】
好ましくは、細長い強膜切開部横断部は、強膜係合固定部を越えて延びる糸状部（ｔｈｒｅａｄｉｎｇ  ｐｏｒｔｉｏｎ）を含み、該糸状部は、眼内レンズの挿入後に強膜係合固定部から脱離し、かつ、捨てられるように適合されている。
【図面の簡単な説明】
【００１１】
本発明は、図面と共に解釈される次の詳細な説明から、より完全に理解され、かつ、把握されるであろう。
【００１２】
【図１Ａ】図１Ａ、図１Ｂおよび図１Ｃは、本発明の好ましい実施形態によって構成され、かつ、有効である眼内レンズの、第１、第２および第３の異なる簡略化された斜視図である。
【図１Ｂ】図１Ａ、図１Ｂおよび図１Ｃは、本発明の好ましい実施形態によって構成され、かつ、有効である眼内レンズの、第１、第２および第３の異なる簡略化された斜視図である。
【図１Ｃ】図１Ａ、図１Ｂおよび図１Ｃは、本発明の好ましい実施形態によって構成され、かつ、有効である眼内レンズの、第１、第２および第３の異なる簡略化された斜視図である。
【図１Ｄ】図１Ｄおよび図１Ｅはそれぞれ、図１Ａ、図１Ｂおよび図１Ｃの眼内レンズの、簡略化された側面図および簡略化された平面図である。
【図１Ｅ】図１Ｄおよび図１Ｅはそれぞれ、図１Ａ、図１Ｂおよび図１Ｃの眼内レンズの、簡略化された側面図および簡略化された平面図である。
【図２】図２Ａ、図２Ｂおよび図２Ｃは、図１Ａ−図１Ｅの眼内レンズのボタン部の３つの簡略図である。
【図３Ａ】図３Ａおよび図３Ｂは、それぞれ挿入前および挿入後の有効な向きになっている図１Ａ−図２Ｃの眼内レンズの簡略図である。
【図３Ｂ】図３Ａおよび図３Ｂは、それぞれ挿入前および挿入後の有効な向きになっている図１Ａ−図２Ｃの眼内レンズの簡略図である。
【図４】図４Ａ、図４Ｂおよび図４Ｃは、図３Ｂにおける線ＩＶ−ＩＶに沿ってとった、図１Ａ−図３Ｂの眼内レンズの挿入における３つの中間段階の簡略図である。
【図５】図５は、本発明の別の好ましい実施形態によって構成され、かつ、有効である眼内レンズの簡略図である。
【図６】図６は、本発明のまた別の好ましい実施形態によって構成され、かつ、有効である眼内レンズの簡略図である。
【図７】図７は、本発明のさらに別の好ましい実施形態によって構成され、かつ、有効である眼内レンズの、簡略図である。
【図８Ａ】図８Ａ、図８Ｂおよび図８Ｃは、本発明のさらに好ましい実施形態によって構成され、かつ、有効である眼内レンズの、第１、第２および第３の異なる簡略化された斜視図である。
【図８Ｂ−Ｃ】図８Ａ、図８Ｂおよび図８Ｃは、本発明のさらに好ましい実施形態によって構成され、かつ、有効である眼内レンズの、第１、第２および第３の異なる簡略化された斜視図である。
【図８Ｄ】図８Ｄおよび図８Ｅはそれぞれ、図８Ａ、図８Ｂおよび図８Ｃの眼内レンズの、簡略化された側面図および簡略化された平面図である。
【図８Ｅ】図８Ｄおよび図８Ｅはそれぞれ、図８Ａ、図８Ｂおよび図８Ｃの眼内レンズの、簡略化された側面図および簡略化された平面図である。
【図９】図９Ａおよび図９Ｂは、図８Ａ−図８Ｅの眼内レンズのＴ形の要素の簡略図である。
【図１０Ａ】図１０Ａおよび図１０Ｂは、それぞれ挿入前および挿入後の有効な向きになっている図８Ａ−図９の眼内レンズの簡略図である。
【図１０Ｂ】図１０Ａおよび図１０Ｂは、それぞれ挿入前および挿入後の有効な向きになっている図８Ａ−図９の眼内レンズの簡略図である。
【図１１】図１１Ａ、図１１Ｂ、図１１Ｃおよび図１１Ｄは、図１０Ｂにおける線ＸＩ−ＸＩに沿ってとった、図８Ａ−図１０Ｂの眼内レンズの挿入における４つの中間段階の簡略図である。
【図１２】図１２は、本発明の別の好ましい実施形態によって構成され、かつ、有効である眼内レンズの簡略図である。
【図１３】図１３は、本発明のまた別の好ましい実施形態によって構成され、かつ、有効である眼内レンズの簡略図である。
【図１４】図１４は、本発明のさらに別の好ましい実施形態によって構成され、かつ、有効である眼内レンズの簡略図である。
【発明を実施するための形態】
【００１３】
好ましい実施形態の詳細な説明
ここで、本発明の好ましい実施形態によって構成され、かつ、有効である眼内レンズの、第１、第２および第３の異なる簡略化された斜視図である図１Ａ、図１Ｂおよび図１Ｃと、それぞれ、図１Ａ、図１Ｂおよび図１Ｃの眼内レンズの、簡略化された側面図および簡略化された平面図である図１Ｄおよび図１Ｅとを参照する。
【００１４】
図１Ａ−図１Ｅに見られるように、本発明の好ましい実施形態によって構成され、かつ、有効である眼内レンズ１００が提供され、該眼内レンズは、レンズ部１０２とハプティクス部１０４とを含む。ハプティクス部１０４は、好ましくは、レンズ部１０２から外側に延びる第１および第２の側方ハプティクス１０６および１０８を含む。強膜係合部１１０は、各側方ハプティクス１０６および１０８から、それに沿う中間位置において外側に延びる。各強膜係合部１１０は、好ましくは、強膜切開部横断部１１２を含み、該強膜切開部横断部は、好ましくは、縫合材料で形成されていてもよい、細長い柔軟な糸の形をしており、かつ、各強膜係合部１１０は、強膜切開部横断部１１２に沿った中間位置において強膜係合固定部１１４を含み、該強膜係合固定部は、強膜からの強膜切開部横断部１１２の脱係合を防止する。
【００１５】
この実施形態では、強膜係合固定部１１４は、概して、ボタンの形をしており、該強膜係合固定部は、以下でより詳細に説明するように、強膜係合のためにその中心軸１２１を規定するベース部１１６に沿った第１の方向に折り曲がることができるが、強膜係合固定のために反対の方向には折り曲がることができないように構成されている。したがって、強膜係合固定部１１４は、強膜切開部を通したその挿入中は、軸１２１に垂直である相対的に小さな足跡をとり、かつ、強膜切開部を戻る通過に対して強膜係合固定部１１４を保持するために、したがって、眼内レンズ１００を目の所定の位置に保持するために、軸１２１に垂直である相対的大きな足跡をとり得る。
【００１６】
好ましくは、強膜切開部横断部１１２は、各強膜係合固定部１１４の外側に延びる強膜切開部糸状部１２２を含み、該強膜切開部糸状部は、挿入に用いられ、その後で強膜係合固定部１１４から切断され、かつ、捨てられる。
【００１７】
上記の眼内レンズ１００のすべての部分が、単一のピースとして一体的に形成されてもよいことは把握される。代替的には、眼内レンズ１００の種々の部分が、別々に形成され、かつ、従来の溶接技術または適切な接着剤の使用によって結合されてもよい。
【００１８】
ここで、図１Ａ−図１Ｅの眼内レンズの強膜係合固定部の３つの簡略図である図２Ａ、図２Ｂおよび図２Ｃと、それぞれ挿入前および挿入後の有効な向きになっている図１Ａ−図２Ｃの眼内レンズの簡略図である図３Ａおよび図３Ｂと、図１Ａ−図３Ｂの眼内レンズの挿入における３つの中間段階の簡略図である図４Ａ、図４Ｂおよび図４Ｃとを参照する。
【００１９】
図２Ａ−図２Ｃに特に見られるように、強膜係合固定部１１４は、好ましくは、２つ以上のローブ１２３を含むマルチローブのボタンの形状をしており、該強膜係合固定部は、図４Ａに見られるように、挿入中、強膜切開部横断部１１２全体にわたるその中心軸１２１に沿って、矢印１２４によって示される第１の方向に折り曲がることができるが、強膜切開部糸状部１２２全体にわたる軸１２１に沿う第１の方向１２４とは反対の第２の方向には折り曲がることができず、そのことによって、図３Ｂおよび図４Ｂに見られるように、眼内レンズを所定の位置に保持するように構成されている。
【００２０】
図４Ｃに見られるように、眼内レンズ１００の挿入後、各強膜係合固定部１１４の外側に延びる強膜切開部糸状部１２２は、強膜係合固定部１１４から切断され、かつ、捨てられる。
【００２１】
ここで、本発明の別の好ましい実施形態によって構成され、かつ、有効である眼内レンズの簡略図である図５を参照するが、ここでは、関節式（ａｒｔｉｃｕｌａｔｅｄ）側方ハプティクス部１３６および１３８が採用される。
【００２２】
ここで、本発明のまた別の好ましい実施形態によって構成され、かつ、有効である眼内レンズの簡略図である図６を参照するが、ここでは、堅固な（ｓｏｌｉｄ）側方ハプティクス部１４６および１４８が採用される。
【００２３】
ここで、本発明のさらに別の好ましい実施形態によって構成され、かつ、有効である眼内レンズの簡略図である図７を参照するが、ここでは、細長い糸状の側方ハプティクス部１５６および１５８が採用され、かつ、各側方ハプティクス部は、連結器１６０によって強膜係合部１１０に接続されてもよい。
【００２４】
ここで、本発明の別の好ましい実施形態によって構成され、かつ、有効である眼内レンズの、第１、第２および第３の異なる簡略化された斜視図である図８Ａ、図８Ｂおよび図８Ｃと、図８Ａ−図８Ｃの眼内レンズの、簡略化された側面図および簡略化された平面図である図８Ｄおよび図８Ｅとを参照する。
【００２５】
図８Ａ−図８Ｅに見られるように、本発明の好ましい実施形態によって構成され、かつ、有効である眼内レンズ２００が提供され、該眼内レンズは、レンズ部２０２とハプティクス部２０４とを含む。ハプティクス部２０４は、好ましくは、レンズ部２０２から外側に延びる第１および第２の側方ハプティクス２０６および２０８を含む。強膜係合部２１０は、各側方ハプティクス２０６および２０８から外側に延びる。各強膜係合部２１０は、好ましくは、強膜切開部横断部２１２を含み、該強膜切開部横断部は、好ましくは、細長い柔軟な糸の形をしており、かつ、各強膜係合部２１０は、強膜切開部横断部２１２に沿った中間位置において強膜係合固定部２２０を有し、該強膜係合固定部は、強膜からの強膜切開部横断部２１２の脱係合を防止する。
【００２６】
この実施形態では、強膜係合固定部２２０は、略Ｔ形の要素２２２の形をしており、該強膜係合固定部は、以下でより詳細に説明するように、眼内レンズ２００の挿入中、選択可能に折り曲がることができ、かつ、強膜係合固定を提供するように構成されている。
【００２７】
図示された実施形態では、Ｔ形の要素２２２の柔軟なベース部２２４は、中心軸２２６に沿って延び、かつ、強膜切開部横断部２１２の一部を規定する。好ましい実施形態では、柔軟なベース部２２４は、縫合材料のような柔らかい可撓性材料で形成される。各ベース部２２４の自由端２２８は、側方ハプティクス２０６および２０８のうちの対応するものに結合される。強膜係合固定部２２０は、強膜切開部を通したその挿入中は、軸２２４に垂直である相対的に幅の狭い足跡をとり、かつ、強膜切開部を戻る通過に対して強膜係合固定部２２０を保持するために、したがって、眼内レンズ２００を目の所定の位置に保持するために、軸２２４に垂直である相対的に幅の広い足跡をとり得ることが理解される。好ましくは、強膜切開部糸状部２３０は、強膜切開部横断部２１２のさらなる部分を規定し、かつ、各Ｔ形の要素２２２の一方の側面の外側に延びる。好ましくは、強膜切開部糸状部２３０は、強膜に強膜切開部横断部２１２を通すために用いられ、その後、その狭く弱い部分２３２（そこでは、強膜切開部糸状部２３０がＴ形の要素２２２に結合されている）において強膜係合固定部２２０から切断され、かつ、捨てられる。
【００２８】
上記の眼内レンズ２００のすべての部分が、単一のピースとして一体的に形成されてもよいことは把握される。代替的には、眼内レンズ２００の種々の部分が、別々に形成され、かつ、従来の溶接技術または適切な接着剤の使用によって結合されてもよい。
【００２９】
ここで、図８Ａ−図８Ｅの眼内レンズのＴ形の要素２２２の簡略図である図９Ａおよび図９Ｂと、それぞれ挿入前および挿入後の有効な向きになっている図８Ａ−図９の眼内レンズの簡略図である図１０Ａおよび図１０Ｂと、図８Ａ−図１０Ｂの眼内レンズの挿入における４つの中間段階の簡略図である図１１Ａ、図１１Ｂ、図１１Ｃおよび図１１Ｄとを参照する。
【００３０】
図９Ａおよび図９Ｂに特に見られるように、強膜係合固定部２２０は、好ましくは、略Ｔ形の要素２２２の、一対の同軸の反対方向を向いたアーム２３３および２３４として形成され、該強膜係合固定部は、図１０Ａ−図１１Ｄに見られるように、眼内レンズ２００の挿入中、図９Ａに示される構成から図９Ｂに示される構成へと選択可能に折り曲がることができ、かつ、図１０Ｂおよび図１１Ｄに示されるように、その挿入後、眼内レンズを所定の位置に保持するように構成されている。
【００３１】
ここで、本発明の別の好ましい実施形態によって構成され、かつ、有効である眼内レンズの簡略図である図１２を参照するが、ここでは、関節式側方ハプティクス部２４０および２４２が採用される。
【００３２】
ここで、本発明のまた別の好ましい実施形態によって構成され、かつ、有効である眼内レンズの簡略図である図１３を参照するが、ここでは、堅固な側方ハプティクス部２４６および２４８が採用される。
【００３３】
ここで、本発明のまた別の好ましい実施形態によって構成され、かつ、有効である眼内レンズの簡略図である図１４を参照するが、ここでは、細長い糸状の側方ハプティクス部２５６および２５８が採用され、かつ、各側方ハプティクス部は、Ｔ形の要素２２２のベース２２６に接続された中空の連結器２６０に挿入されていてもよい。
【００３４】
本発明が、上記で特に示され、かつ、説明されたものに限られないことは、当業者によって把握されるであろう。むしろ、本発明の範囲は、上記で説明された種々の要素の組み合わせおよび部分的組み合わせ、ならびに、先行技術にはないその修正および改変を含む。
【図１Ａ】
2018196727.tif 000003
【図１Ｂ】
2018196727.tif 000004
【図１Ｃ】
2018196727.tif 000005
【図１Ｄ】
2018196727.tif 000006
【図１Ｅ】
2018196727.tif 000007
【図２】
2018196727.tif 000008
【図３Ａ】
2018196727.tif 000009
【図３Ｂ】
2018196727.tif 000010
【図４】
2018196727.tif 000011
【図５】
2018196727.tif 000012
【図６】
2018196727.tif 000013
【図７】
2018196727.tif 000014
【図８Ａ】
2018196727.tif 000015
【図８Ｂ−Ｃ】
2018196727.tif 000016
【図８Ｄ】
2018196727.tif 000017
【図８Ｅ】
2018196727.tif 000018
【図９】
2018196727.tif 000019
【図１０Ａ】
2018196727.tif 000020
【図１０Ｂ】
2018196727.tif 000021
【図１１】
2018196727.tif 000022
【図１２】
2018196727.tif 000023
【図１３】
2018196727.tif 000024
【図１４】
2018196727.tif 000025
【外国語明細書】
2018196727000001.pdf
2018196727000002.pdf
2018196727000003.pdf
2018196727000004.pdf